(57)【要約】【課題】迅速に効率よく情報の読み取りを行うことができる無線タグ回路素子、無線タグ情報読み取りシステム、タグラベル作成装置を提供する。【解決手段】情報を記憶するＩＣ回路部１５０と、このＩＣ回路部１５０に接続されるアンテナ１５１とを有する無線タグ回路素子Ｔoであって、ＩＣ回路部１５０は、リーダ２００からの問合せ信号の受信時に当該問合せ信号に対し応答信号を出力する応答率を設定する制御部１５７、乱数発生器１５８、及びメモリ部１５５を有する。【選択図】  図３
2007124433.tif 000002
【特許請求の範囲】
【請求項１】
情報を記憶するＩＣ回路部と、
このＩＣ回路部に接続されるタグ側アンテナとを有する無線タグ回路素子であって、
前記ＩＣ回路部は、質問器からの問合せ信号の受信時に当該問合せ信号に対し応答信号を出力する応答率を設定する設定手段を有することを特徴とする無線タグ回路素子。
【請求項２】
請求項１記載の無線タグ回路素子において、
前記設定手段は、乱数を発生させるタグ側乱数発生手段と、このタグ側乱数発生手段で発生させた乱数と所定のしきい値とを比較することにより、前記質問器からの問合せ信号に対し応答信号を出力するかどうかを決定する応答決定手段とを有することを特徴とする無線タグ回路素子。
【請求項３】
請求項１記載の無線タグ回路素子において、
前記質問器は、乱数を発生させる装置側乱数発生手段を有しており、
前記設定手段は、前記装置側乱数発生手段で発生され前記質問器から送信された乱数と所定のしきい値とを比較することにより、前記質問器からの問合せ信号に対し応答信号を出力するかどうかを決定する応答決定手段とを有することを特徴とする無線タグ回路素子。
【請求項４】
請求項１記載の無線タグ回路素子において、
前記設定手段は、前記質問器から問合せ信号を受信した回数を数えるカウント手段と、このカウント手段でカウントした問合せ信号の受信回数と所定のしきい値とを比較することにより、前記質問器からの問合せ信号に対し応答信号を出力するかどうかを決定する応答決定手段とを有することを特徴とする無線タグ回路素子。
【請求項５】
請求項１記載の無線タグ回路素子において、
前記設定手段は、前記質問器から問合せ信号を受信したときに前回の問合せ信号を受信してからの経過時間を算出する算出手段と、この算出手段で算出した経過時間と所定のしきい値とを比較することにより、前記質問器からの問合せ信号に対し応答信号を出力するかどうかを決定する応答決定手段とを有することを特徴とする無線タグ回路素子。
【請求項６】
請求項１記載の無線タグ回路素子において、
前記設定手段は、前記質問器からの問合せ信号の受信時に充電を行う充電手段と、この充電手段の充電電圧と所定のしきい値とを比較することにより、前記質問器からの問合せ信号に対し応答信号を出力するかどうかを決定する応答決定手段とを有することを特徴とする無線タグ回路素子。
【請求項７】
請求項２乃至請求項６のいずれか１項記載の無線タグ回路素子において、
前記所定のしきい値を記憶する不揮発性の記憶手段を有していることを特徴とする無線タグ回路素子。
【請求項８】
請求項７記載の無線タグ回路素子において、
前記記憶手段に記憶された前記しきい値を書き換えることにより、前記設定手段で設定した応答率を変更する変更手段を有することを特徴とする無線タグ回路素子。
【請求項９】
請求項８記載の無線タグ回路素子において、
前記変更手段は、前記質問器から受信した書き換え信号に応じて前記記憶手段に記憶された前記しきい値を書き換えることを特徴とする無線タグ回路素子。
【請求項１０】
質問器からの問合せ信号の受信時に当該問合せ信号に対し応答信号を出力する応答率を設定する設定手段を有し、情報を記憶するＩＣ回路部、及びこのＩＣ回路部に接続されるタグ側アンテナを有する無線タグ回路素子と、
前記無線タグ回路素子との間で無線通信により情報の送受信を行う装置側アンテナ、及び前記問合せ信号を含むアクセス情報を生成し、前記装置側アンテナを介して前記無線タグ回路素子へ送信し、前記無線タグ回路素子のＩＣ回路部からの情報読み取りを行う情報アクセス手段を有する前記質問器と
を備えたことを特徴とする無線タグ情報読み取りシステム。
【請求項１１】
請求項１０記載の無線タグ情報読み取りシステムにおいて、
前記設定手段は、乱数を発生させるタグ側乱数発生手段と、このタグ側乱数発生手段で発生させた乱数と所定のしきい値とを比較することにより、前記質問器からの問合せ信号に対し応答信号を出力するかどうかを決定する応答決定手段とを有することを特徴とする無線タグ情報読み取りシステム。
【請求項１２】
請求項１０記載の無線タグ情報読み取りシステムにおいて、
前記質問器は、乱数を発生させる装置側乱数発生手段を有しており、
前記設定手段は、前記装置側乱数発生手段で発生され前記質問器から送信された乱数と所定のしきい値とを比較することにより、前記質問器からの問合せ信号に対し応答信号を出力するかどうかを決定する応答決定手段とを有することを特徴とする無線タグ情報読み取りシステム。
【請求項１３】
請求項１０記載の無線タグ情報読み取りシステムにおいて、
前記設定手段は、前記質問器から問合せ信号を受信した回数を数えるカウント手段と、このカウント手段でカウントした問合せ信号の受信回数と所定のしきい値とを比較することにより、前記質問器からの問合せ信号に対し応答信号を出力するかどうかを決定する応答決定手段とを有することを特徴とする無線タグ情報読み取りシステム。
【請求項１４】
請求項１１乃至請求項１３のいずれか１項に記載の無線タグ情報読み取りシステムにおいて、
前記無線タグ回路素子は、前記所定のしきい値を記憶する不揮発性の記憶手段と、前記質問器から受信した書き換え信号に応じて前記記憶手段に記憶された前記しきい値を書き換えることにより、前記設定手段で設定した応答率を変更する変更手段とを有することを特徴とする無線タグ情報読み取りシステム。
【請求項１５】
情報を記憶するＩＣ回路部、及びこのＩＣ回路部に接続されたタグ側アンテナを備えた無線タグ回路素子が配置され、連続的に供給可能に収納されたタグ媒体を有する無線タグ回路素子収納体を着脱可能に設置する収納体設置部と、
前記無線タグ回路素子の前記ＩＣ回路部との間で無線通信により情報の送受信を行う装置側アンテナと、
この装置側アンテナを介し前記無線タグ回路素子へアクセスし、当該無線タグ回路素子における問合せ信号に対し応答信号を出力する応答率を設定する設定手段と、
前記無線タグ回路素子収納体から搬送される前記タグ媒体に印字を行う印字手段と
を有することを特徴とするタグラベル作成装置。
【発明の詳細な説明】
【技術分野】
【０００１】
本発明は、外部と情報の無線通信が可能な無線タグ回路素子、この無線タグ回路素子と信号送受を行う質問器と無線タグ回路素子とを備えた無線タグ情報読み取りシステム、及び無線タグ回路素子を備えた無線タグラベルを作成するタグラベル作成装置に関するものである。
【背景技術】
【０００２】
小型の無線タグと、質問器としてのリーダ（読み取り装置）／ライタ（書き込み装置）との間で非接触で情報の読み取り／書き込みを行うＲＦＩＤ（Radio Frequency Identification）システムが知られている。無線タグラベルに備えられた無線タグ回路素子は、所定の無線タグ情報を記憶するＩＣ回路部とこのＩＣ回路部に接続されて情報の送受信を行うアンテナとを備えており、無線タグラベルが汚れている場合や見えない位置に配置されている場合であっても、質問器側よりＩＣ回路部の無線タグ情報に対してアクセス（情報の読み取り／書き込み）が可能であり、商品管理や検査工程等の様々な分野において実用が期待されている。
【０００３】
このように種々の分野において活用されつつある無線タグを用いた無線通信システムの１つとして、複数の無線タグ回路素子と、これら複数の無線タグ回路素子に対し無線通信により情報の読み取りを行う質問器とを有する無線タグ情報読み取りシステムがある（例えば、特許文献１参照）。この無線タグ情報読み取りシステムにおいては、質問器が複数の無線タグ回路素子に対して問合せ信号を送信すると、通信範囲内に存在する各無線タグ回路素子から質問器に対し応答信号が送信され、それら無線タグ回路素子の情報の読み取りが行われる。
【０００４】
【特許文献１】特開平１１−１４９５３０号公報
【発明の開示】
【発明が解決しようとする課題】
【０００５】
上述した従来技術の無線タグ情報読み取りシステムの場合、以下のような課題が存在する。
【０００６】
すなわち、例えば、複数の無線タグ回路素子が、比較的高い頻度で情報の読み取りが必要である読み取り対象（以下、第１読み取り対象）と、比較的低い頻度で情報の読み取りを行えば足りる読み取り対象（以下、第２読み取り対象）とに設けられるような場合、第２読み取り対象の無線タグ回路素子に対しては高い頻度で情報の読み取りを行う必要がないにも拘らず、上記従来技術の無線タグ情報読み取りシステムでは、第１読み取り対象に合わせた高い頻度で質問器から問合せ信号を送信し、第１及び第２読み取り対象の双方の無線タグ回路素子から高い頻度で情報の読み取りを行う必要がある。その結果、低頻度で情報の読み取りを行えば足りる第２読み取り対象に対し高頻度に情報の読み取りを行うといった無駄な読み取りを行うこととなり、読み取り効率の低下を招いていた。
【０００７】
本発明の目的は、迅速に効率よく情報の読み取りを行うことができる無線タグ回路素子、無線タグ情報読み取りシステム、タグラベル作成装置を提供することにある。
【課題を解決するための手段】
【０００８】
上記目的を達成するために、第１の発明は、情報を記憶するＩＣ回路部と、このＩＣ回路部に接続されるタグ側アンテナとを有する無線タグ回路素子であって、前記ＩＣ回路部は、質問器からの問合せ信号の受信時に当該問合せ信号に対し応答信号を出力する応答率を設定する設定手段を有することを特徴とする。
【０００９】
本願第１発明の無線タグ回路素子においては、質問器からの問合せ信号の受信時に当該問合せ信号に対し応答信号を出力する応答率を設定する設定手段を有しており、この設定手段で設定された応答率にしたがって、質問器からの問合せ信号に対し応答信号を出力する。これにより、比較的高い頻度で情報の読み取りが必要である読み取り対象（以下、第１読み取り対象）に設けた無線タグ回路素子（以下、第１無線タグ回路素子）については応答率を高く設定し、比較的低い頻度で情報の読み取りを行えば足りる読み取り対象（以下、第２読み取り対象）に設けた無線タグ回路素子（以下、第２無線タグ回路素子）については応答率を低く設定すれば、質問器からの問い合わせ信号に対して第１無線タグ回路素子については高い頻度で応答信号を出力させ、第２無線タグ回路素子については低い頻度で応答信号を出力させることが可能となる。その結果、第１読み取り対象に対しては高頻度できめ細かに情報を読み取ることができ、第２読み取り対象に対しては低頻度で必要最小限に情報を読み取ることができる。このように、読み取り対象に応じて無線タグ回路素子の応答率を設定することにより、その読み取り対象に相応な読み取り頻度で情報の読み取りを行うことができる。したがって、低頻度で情報の読み取りを行えば足りる読み取り対象に対し高頻度に情報の読み取りを行うといった無駄な読み取りを抑制することができるので、一律の応答率（１００％又は０％）の無線タグ回路素子を用いて全読み取り対象に対し一律の頻度で情報の読み取りを行う場合に比べ、迅速に効率よく情報の読み取りを行うことができる。
【００１０】
第２の発明は、上記第１発明において、前記設定手段は、乱数を発生させるタグ側乱数発生手段と、このタグ側乱数発生手段で発生させた乱数と所定のしきい値とを比較することにより、前記質問器からの問合せ信号に対し応答信号を出力するかどうかを決定する応答決定手段とを有することを特徴とする。
【００１１】
本願第２発明の無線タグ回路素子においては、タグ側乱数発生手段で乱数を発生させ、応答決定手段でこの乱数と所定のしきい値とを比較することによって応答信号を出力するかどうかを決定することにより、応答率を設定する。したがって、例えばタグ側乱数発生手段で発生させた乱数が所定のしきい値以下である場合に応答信号を出力するように決定し、反対に発生させた乱数が所定のしきい値よりも大きい場合に応答信号を出力しないように決定するような場合には、しきい値を大きい値に設定することにより応答率を高く設定することができ、反対にしきい値を小さい値に設定することにより応答率を低く設定することが可能である。これにより、読み取り対象に応じて応答率を設定することができるので、その読み取り対象に相応な頻度で情報を読み取ることができ、その結果、読み取り効率を向上することができる。
【００１２】
第３の発明は、上記第１発明において、前記質問器は、乱数を発生させる装置側乱数発生手段を有しており、前記設定手段は、前記装置側乱数発生手段で発生され前記質問器から送信された乱数と所定のしきい値とを比較することにより、前記質問器からの問合せ信号に対し応答信号を出力するかどうかを決定する応答決定手段とを有することを特徴とする。
【００１３】
本願第３発明の無線タグ回路素子においては、装置側乱数発生手段で発生された乱数を受信し、応答決定手段でこの乱数と所定のしきい値を比較することによって応答信号を出力するかどうかを決定する。該しきい値の大小により、応答率を設定する。したがって、例えば装置側乱数発生手段で発生させた乱数が所定のしきい値以下である場合に応答信号を出力するように決定し、反対に発生させた乱数が所定のしきい値よりも大きい場合に応答信号を出力しないように決定するような場合には、しきい値を大きい値に設定することにより応答率を高く設定することができ、反対にしきい値を小さい値に設定することにより応答率を低く設定することが可能である。これにより、読み取り対象に応じて応答率を設定することができるので、その読み取り対象に相応な頻度で情報を読み取ることができ、その結果、読み取り効率を向上することができる。
【００１４】
第４の発明は、上記第１発明において、前記設定手段は、前記質問器から問合せ信号を受信した回数を数えるカウント手段と、このカウント手段でカウントした問合せ信号の受信回数と所定のしきい値とを比較することにより、前記質問器からの問合せ信号に対し応答信号を出力するかどうかを決定する応答決定手段とを有することを特徴とする。
【００１５】
本願第４発明の無線タグ回路素子においては、カウント手段で質問器から問合せ信号を受信した回数をカウントし、応答決定手段でこのカウントした受信回数と所定のしきい値とを比較することによって応答信号を出力するかどうかを決定する。該しきい値の大小により、応答率を設定する。したがって、例えばしきい値を１０とし、カウント手段でカウントした受信回数が１０に達したら応答信号を出力するように決定すれば、無線タグ回路素子の応答率を１／１０に設定することが可能となる。このようにして、しきい値を適宜の値に設定することにより読み取り対象に応じた応答率を設定することができるので、その読み取り対象に相応な頻度で情報を読み取ることができ、その結果、読み取り効率を向上することができる。
【００１６】
第５の発明は、上記第１発明において、前記設定手段は、前記質問器から問合せ信号を受信したときに前回の問合せ信号を受信してからの経過時間を算出する算出手段と、この算出手段で算出した経過時間と所定のしきい値とを比較することにより、前記質問器からの問合せ信号に対し応答信号を出力するかどうかを決定する応答決定手段とを有することを特徴とする。
【００１７】
本願第５発明の無線タグ回路素子においては、質問器から問合せ信号を受信したときに算出手段で前回の問合せ信号を受信してからの経過時間を算出し、応答決定手段でこの経過時間と所定のしきい値とを比較することによって応答信号を出力するかどうかを決定することにより、応答率を設定する。したがって、例えば時刻差が所定のしきい値以下である場合に応答信号を出力しないように決定し、反対に時刻差が所定のしきい値よりも大きい場合に応答信号を出力するように決定するような場合には、しきい値を小さい値に設定することにより応答率を高く設定することができ、反対にしきい値を大きい値に設定することにより応答率を低く設定することが可能となる。これにより、読み取り対象に応じて応答率を設定することができるので、その読み取り対象に相応な頻度で情報を読み取ることができ、その結果、読み取り効率を向上することができる。
【００１８】
第６の発明は、上記第１発明において、前記設定手段は、前記質問器からの問合せ信号の受信時に充電を行う充電手段と、この充電手段の充電電圧と所定のしきい値とを比較することにより、前記質問器からの問合せ信号に対し応答信号を出力するかどうかを決定する応答決定手段とを有することを特徴とする。
【００１９】
本願第６発明の無線タグ回路素子においては、質問器からの問合せ信号受信時に充電手段で充電を行い、応答決定手段でこの充電手段の充電電圧と所定のしきい値とを比較することによって応答信号を出力するかどうかを決定することにより、応答率を設定する。したがって、例えば充電電圧が所定のしきい値以下である場合に応答信号を出力するように決定し、反対に充電電圧が所定のしきい値よりも大きい場合に応答信号を出力しないように決定するような場合には、しきい値を大きい値に設定することにより応答率を高く設定することができ、反対にしきい値を小さい値に設定することにより応答率を低く設定することが可能となる。これにより、読み取り対象に応じて応答率を設定することができるので、その読み取り対象に相応な頻度で情報を読み取ることができ、その結果、読み取り効率を向上することができる。
【００２０】
第７の発明は、上記第２乃至第６発明のいずれかにおいて、前記所定のしきい値を記憶する不揮発性の記憶手段を有していることを特徴とする。
【００２１】
これにより、質問器からの問合せ信号の受信が終了して電源供給が断たれても、所定のしきい値を保持することができる。その結果、設定手段で設定された応答率または変更手段で変更された応答率を保持することができる。
【００２２】
第８の発明は、上記第７発明において、前記記憶手段に記憶された前記しきい値を書き換えることにより、前記設定手段で設定した応答率を変更する変更手段を有することを特徴とする。
【００２３】
本願第８発明の無線タグ回路素子においては、変更手段で記憶手段に記憶されたしきい値を書き換えることにより、設定手段で設定した応答率を変更する。これにより、例えば時間の経過により使用頻度が低下した物品等、当初は比較的高い頻度で情報の読み取りが必要であったのに対して現在では比較的低い頻度で情報の読み取りを行えば足りるようになった読み取り対象に設けた無線タグ回路素子の応答率を、変更手段により小さく変更することが可能である。このように、変更手段で応答率を適宜変更することにより、使用頻度等の読み取り対象の状況に応じてきめ細かに応答率を設定することができる。その結果、さらに迅速に効率よく情報の読み取りを行うことができる。
【００２４】
第９の発明は、上記第８発明において、前記変更手段は、前記質問器から受信した書き換え信号に応じて前記記憶手段に記憶された前記しきい値を書き換えることを特徴とする。
【００２５】
本願第９発明の無線タグ回路素子においては、変更手段で記憶手段に記憶されたしきい値を質問器から受信した書き換え信号に応じて書き換えることにより、設定手段で設定した応答率を変更する。これにより、使用頻度等の読み取り対象の状況に応じてきめ細かに応答率を設定することができる。その結果、さらに迅速に効率よく情報の読み取りを行うことができる。
【００２６】
上記目的を達成するために、第１０の発明は、質問器からの問合せ信号の受信時に当該問合せ信号に対し応答信号を出力する応答率を設定する設定手段を有し、情報を記憶するＩＣ回路部、及びこのＩＣ回路部に接続されるタグ側アンテナを有する無線タグ回路素子と、前記無線タグ回路素子との間で無線通信により情報の送受信を行う装置側アンテナ、及び前記問合せ信号を含むアクセス情報を生成し、前記装置側アンテナを介して前記無線タグ回路素子へ送信し、前記無線タグ回路素子のＩＣ回路部からの情報読み取りを行う情報アクセス手段を有する前記質問器とを備えたことを特徴とする。
【００２７】
本願第１０発明の無線タグ情報読み取りシステムにおいては、無線タグ回路素子が質問器からの問合せ信号の受信時に当該問合せ信号に対し応答信号を出力する応答率を設定する設定手段を有しており、この設定手段で設定された応答率にしたがって、無線タグ回路素子が質問器からの問合せ信号に対し応答信号を出力する。これにより、比較的高い頻度で情報の読み取りが必要である第１読み取り対象に設けた第１無線タグ回路素子については応答率を高く設定し、比較的低い頻度で情報の読み取りを行えば足りる第２読み取り対象に設けた第２無線タグ回路素子については応答率を低く設定すれば、質問器からの問い合わせ信号に対して第１無線タグ回路素子については高い頻度で応答信号を出力させ、第２無線タグ回路素子については低い頻度で応答信号を出力させることが可能となる。その結果、第１読み取り対象に対しては高頻度できめ細かに情報を読み取ることができ、第２読み取り対象に対しては低頻度で大雑把に情報を読み取ることができる。このように、読み取り対象に応じて無線タグ回路素子の応答率を設定することにより、その読み取り対象に相応な読み取り頻度で情報の読み取りを行うことができる。したがって、低頻度で情報の読み取りを行えば足りる読み取り対象に対し高頻度に情報の読み取りを行うといった無駄な読み取りを抑制することができるので、一律の応答率（応答するか応答しないかの二者択一）の無線タグ回路素子を用いて全読み取り対象に対し一律の頻度で情報の読み取りを行う場合に比べ、迅速に効率よく情報の読み取りを行うことができる。
【００２８】
第１１の発明は、上記第１０発明において、前記設定手段は、乱数を発生させるタグ側乱数発生手段と、このタグ側乱数発生手段で発生させた乱数と所定のしきい値とを比較することにより、前記質問器からの問合せ信号に対し応答信号を出力するかどうかを決定する応答決定手段とを有することを特徴とする。
【００２９】
本願第１１発明の無線タグ情報読み取りシステムにおいては、無線タグ回路素子が有するタグ側乱数発生手段で乱数を発生させ、応答決定手段でこの乱数と所定のしきい値とを比較することによって応答信号を出力するかどうかを決定することにより、無線タグ回路素子の応答率を設定する。したがって、例えばタグ側乱数発生手段で発生させた乱数が所定のしきい値以下である場合に応答信号を出力するように決定し、反対に発生させた乱数が所定のしきい値よりも大きい場合に応答信号を出力しないように決定するような場合には、しきい値を大きい値に設定することにより応答率を高く設定することができ、反対にしきい値を小さい値に設定することにより応答率を低く設定することが可能である。これにより、読み取り対象に応じて無線タグ回路素子の応答率を設定することができるので、その読み取り対象に相応な頻度で情報を読み取ることができ、その結果、読み取り効率を向上することができる。
【００３０】
第１２の発明は、上記第１０発明において、前記質問器は、乱数を発生させる装置側乱数発生手段を有しており、前記設定手段は、前記装置側乱数発生手段で発生され前記質問器から送信された乱数と所定のしきい値とを比較することにより、前記質問器からの問合せ信号に対し応答信号を出力するかどうかを決定する応答決定手段とを有することを特徴とする。
【００３１】
本願第１２発明の無線タグ情報読み取りシステムにおいては、質問器が有する装置側乱数発生手段で発生された乱数を質問器から無線タグ回路素子に送信し、無線タグ回路素子が有する応答決定手段でこの乱数と所定のしきい値を比較することによって応答信号を出力するかどうかを決定することにより、無線タグ回路素子の応答率を設定する。したがって、例えば装置側乱数発生手段で発生させた乱数が所定のしきい値以下である場合に応答信号を出力するように決定し、反対に発生させた乱数が所定のしきい値よりも大きい場合に応答信号を出力しないように決定するような場合には、しきい値を大きい値に設定することにより応答率を高く設定することができ、反対にしきい値を小さい値に設定することにより応答率を低く設定することが可能である。これにより、読み取り対象に応じて無線タグ回路素子の応答率を設定することができるので、その読み取り対象に相応な頻度で情報を読み取ることができ、その結果、読み取り効率を向上することができる。
【００３２】
第１３の発明は、上記第１０発明において、前記設定手段は、前記質問器から問合せ信号を受信した回数を数えるカウント手段と、このカウント手段でカウントした問合せ信号の受信回数と所定のしきい値とを比較することにより、前記質問器からの問合せ信号に対し応答信号を出力するかどうかを決定する応答決定手段とを有することを特徴とする。
【００３３】
本願第１３発明の無線タグ情報読み取りシステムにおいては、無線タグ回路素子が有するカウント手段で質問器から問合せ信号を受信した回数をカウントし、応答決定手段でこのカウントした受信回数と所定のしきい値とを比較することによって応答信号を出力するかどうかを決定することにより、無線タグ回路素子の応答率を設定する。したがって、例えばしきい値を１０とし、カウント手段でカウントした受信回数が１０に達したら応答信号を出力するように決定すれば、無線タグ回路素子の応答率を１／１０に設定することが可能となる。このようにして、しきい値を適宜の値に設定することにより読み取り対象に応じた応答率を設定することができるので、その読み取り対象に相応な頻度で情報を読み取ることができ、その結果、読み取り効率を向上することができる。
【００３４】
第１４の発明は、上記第１１乃至第１３発明のいずれかにおいて、前記無線タグ回路素子は、前記所定のしきい値を記憶する不揮発性の記憶手段と、前記質問器から受信した書き換え信号に応じて前記記憶手段に記憶された前記しきい値を書き換えることにより、前記設定手段で設定した応答率を変更する変更手段とを有することを特徴とする。
【００３５】
本願第１４発明の無線タグ情報読み取りシステムにおいては、無線タグ回路素子が有する変更手段で記憶手段に記憶されたしきい値を質問器から受信した書き換え信号に応じて書き換えることにより、設定手段で設定した応答率を変更する。これにより、使用頻度等の読み取り対象の状況に応じてきめ細かに無線タグ回路素子の応答率を設定することができる。その結果、さらに迅速に効率よく情報の読み取りを行うことができる。
【００３６】
上記目的を達成するために、第１５の発明は、情報を記憶するＩＣ回路部、及びこのＩＣ回路部に接続されたタグ側アンテナを備えた無線タグ回路素子が配置され、連続的に供給可能に収納されたタグ媒体を有する無線タグ回路素子収納体を着脱可能に設置する収納体設置部と、前記無線タグ回路素子の前記ＩＣ回路部との間で無線通信により情報の送受信を行う装置側アンテナと、この装置側アンテナを介し前記無線タグ回路素子へアクセスし、当該無線タグ回路素子における問合せ信号に対し応答信号を出力する応答率を設定する設定手段と、前記無線タグ回路素子収納体から搬送される前記タグ媒体に印字を行う印字手段とを有することを特徴とする。
【００３７】
本願第１５発明のタグラベル作成装置においては、収納体設置部に無線タグ回路素子収納体が装着されタグ媒体が連続的に供給されると、タグ媒体に備えられる無線タグ回路素子のＩＣ回路部と装置側アンテナを介し情報送受信が行われ、また印字手段で搬送されるタグ媒体に印字が行われて、無線タグラベルが作成される。このとき、設定手段によって、無線タグラベルに備えられる無線タグ回路素子における問合せ信号に対し応答信号を出力する応答率が設定されている。その結果、作成した無線タグラベルに備えられる無線タグ回路素子は、設定手段で設定された応答率にしたがって、受信した問合せ信号に対し応答信号を出力する。これにより、比較的高い頻度で情報の読み取りが必要である第１読み取り対象に設けた無線タグラベルの第１無線タグ回路素子については応答率を高く設定し、比較的低い頻度で情報の読み取りを行えば足りる第２読み取り対象に設けた無線タグラベルの第２無線タグ回路素子については応答率を低く設定すれば、質問器からの問い合わせ信号に対して第１無線タグ回路素子については高い頻度で応答信号を出力させ、第２無線タグ回路素子については低い頻度で応答信号を出力させることが可能となる。その結果、第１読み取り対象に対しては高頻度できめ細かに情報を読み取ることができ、第２読み取り対象に対しては低頻度で必要最小限に情報を読み取ることができる。このように、読み取り対象に応じて無線タグ回路素子の応答率を設定することにより、その読み取り対象に相応な読み取り頻度で情報の読み取りを行うことができる。したがって、低頻度で情報の読み取りを行えば足りる読み取り対象に対し高頻度に情報の読み取りを行うといった無駄な読み取りを抑制することができるので、一律の応答率（１００％又は０％）の無線タグ回路素子を用いて全読み取り対象に対し一律の頻度で情報の読み取りを行う場合に比べ、迅速に効率よく情報の読み取りを行うことができる。
【発明の効果】
【００３８】
本発明によれば、迅速に効率よく情報の読み取りを行うことができる。
【発明を実施するための最良の形態】
【００３９】
以下、本発明の一実施の形態を図面を参照しつつ説明する。
図１は、本発明の一実施形態である無線タグ情報読み取りシステム全体を表す概念的なシステム構成図である。
【００４０】
図１に示す無線タグ情報読み取りシステムは、この例では倉庫１内に設けられている。この無線タグ情報読み取りシステムは、上記倉庫１の出入口１Ａを介して搬入・搬出される複数の荷物Ｌ（Ｌ１〜Ｌ１１）にそれぞれ貼付された複数の無線タグラベルＴL（ＴL1〜ＴL11）に備えられる複数の無線タグ回路素子Ｔo（詳細は後述）と、上記複数の荷物Ｌの搬入・搬出作業等を行う作業者Ｍが身に着けた無線タグラベルＴMに備えられる無線タグ回路素子Ｔo（詳細は後述）と、それら複数の無線タグ回路素子Ｔoにアクセスする（この例では記憶された所定の情報を読み取る）リーダ２００（質問器）とを有している。
【００４１】
図２は、上記無線タグラベルＴL，ＴMのうちＴL1の全体概略構造の一例を表す図であり、図２（ａ）は無線タグラベルＴL1の上面図、図２（ｂ）は下面図である。これら図２（ａ）及び図２（ｂ）において、無線タグラベルＴL1は、例えば略シート形状の基材２（ラベル基材）と、この基材２に配置され、情報を記憶するＩＣ回路部１５０とこのＩＣ回路部１５０に接続されるアンテナ１５１(タグ側アンテナ)とをそれぞれ備えた無線タグ回路素子Ｔoを備えている。
【００４２】
図２（ａ）に示すように、無線タグラベルＴL1の基材２の表側（上面）には、対応する印字情報（この例では「荷物１」）を表記した領域Ｓを備えている。なお、これら領域Ｓは、文字でなく図形や符号、あるいは単なる色塗りや模様等であってもよい。
【００４３】
なお、特に図示はしないが、作業者Ｍが身に着けている無線タグラベルＴMも上記無線タグラベルＴL1と同様の構成となっている。この無線タグラベルＴMの領域Ｓには、例えば作業者の氏名等が表記されている。
【００４４】
図３は、上記無線タグラベルＴL，ＴMに備えられた上記無線タグ回路素子Ｔoの機能的構成の一例を表すブロック図である。
【００４５】
図３において、無線タグ回路素子Ｔoは、上記リーダ２００のアンテナ２１０（装置側アンテナ）と短波帯(例えば13.56MHz)、ＵＨＦ帯、マイクロ波帯等の高周波を用いて非接触で信号の送受信を行う上記アンテナ１５１と、このアンテナ１５１に接続された上記ＩＣ回路部１５０とを有している。
【００４６】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記リーダ２００からの問合せ信号（例えば不特定検索信号Scroll All ID、又は特定検索信号Scroll ID、若しくは探索信号Ping等）の受信時に当該問合せ信号に対し応答信号（リプライ信号）を出力する応答率を設定するための乱数を発生させる乱数発生器１５８（詳細は後述）と、上記整流部１５２、クロック抽出部１５４、及び変復調部１５６、乱数発生器１５８等を介して上記無線タグ回路素子Ｔoの作動を制御するための制御部１５７とを備えている。
【００４７】
変復調部１５６は、アンテナ１５１により受信された上記リーダ２００（質問器）のアンテナ２１０からの通信信号の復調を行うと共に、上記制御部１５７からの返信信号に基づき、アンテナ１５１が受信した搬送波を変調し、アンテナ１５１より反射波として再送信する。
【００４８】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４９】
クロック抽出部１５４は受信した信号からクロック成分を抽出して制御部１５７にクロックを抽出するものであり、受信した信号のクロック成分の速度に対応したクロックを制御部１５７に供給する。
【００５０】
メモリ部１５５は不揮発性のメモリであり、タグラベル作成時にラベル作成装置によって上記応答率を設定するための設定値（ここでは０〜１００の整数）が予め書き込まれている。これにより、応答率設定の際には、制御部１５７によって上記乱数発生器１５８で発生させた乱数と上記メモリ部１５５に記憶されている設定値とが比較され、これにより設定値が設定されるようになっている（詳細は後述）。
【００５１】
図４は、上記リーダ２００の詳細機能を表す機能ブロック図である。この図４において、リーダ２００は、上記無線タグラベルＴL，ＴMに備えられる複数の無線タグ回路素子Ｔoの上記アンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、操作者が操作可能な適宜のボタン、キー等を備えた操作部２０３と、所定の表示を行う表示部２０４とを有する。
【００５２】
図５は、上記高周波回路２０１の詳細機能構成を表す機能ブロック図である。
【００５３】
図５において、高周波回路２０１は、アンテナ２１０を介し複数の無線タグ回路素子Ｔoの各々に対して信号を送信する送信部２１２と、アンテナ２１０により受信された各無線タグ回路素子Ｔoからの反射波を入力する受信部２１３と、送受分離器２１４とから構成される。
【００５４】
送信部２１２は、無線タグ回路素子ＴoのＩＣ回路部１５０の無線タグ情報にアクセスする(読み取り／書き込みを行う)ための搬送波を発生させる水晶振動子２１５、制御回路２０２の制御により所定の周波数の信号を発生させるＰＬＬ（Phase
Locked Loop）２３０、及びＶＣＯ（Voltage Controlled Oscillator）２３１と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、例えばＵＨＦ帯、マイクロ波帯等の高周波を用いており、上記送信アンプ２１７の出力は、送受分離器２１４を介しアンテナ２１０に伝達されて各無線タグ回路素子ＴoのＩＣ回路部１５０に供給される。なお、送受される無線タグ情報は上記のように変調した信号に限られず、単なる搬送波のみの場合もある。
【００５５】
受信部２１３は、アンテナ２１０で受信された各無線タグ回路素子Ｔoからの反射波と上記発生させられた搬送波とを乗算し復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された各無線タグ回路素子Ｔoからの反射波と上記発生された後に移相器２２７により位相が９０°遅れた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５６】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このように、リーダ２００では、この例ではＩ−Ｑ直交復調によって各無線タグ回路素子Ｔoからの反射波の復調が行われる。
【００５７】
制御回路２０２は、上記高周波回路送信部２１２への増幅制御信号及び変調制御信号を出力するとともに、上記高周波回路受信部２１３からの受信信号を入力した後各無線タグ回路素子Ｔoから読み出された信号を処理するための所定の演算処理を行う。
【００５８】
図６は、この制御回路２０２の詳細機能を表す機能ブロック図である。
【００５９】
図６において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。
【００６０】
以上の構成において、本実施形態の特徴は、無線タグラベルＴL，ＴMに備えられる複数の無線タグ回路素子Ｔoの応答率を予め設定しておき、この設定した応答率にしたがって、各無線タグ回路素子Ｔoがリーダ２００からの問合せ信号に対し応答信号を出力するようにしたことにある。
【００６１】
図７は、上記制御回路２０２の実行する制御手順を表すフローチャートである。
【００６２】
まずステップＳ５１０において、高周波回路２０１及びアンテナ２１０を介し、無線タグラベルＴL，ＴMの複数の無線タグ回路素子ＴoのＩＣ回路部１５０に記憶された情報を読み取るための問合せ信号を送信する。詳細には、例えば、IDの最初の４ビットが１１１１であればそれ以降のビットは任意である不特定のタグを指定してその全ID及びその関連情報(対応する機器情報)を取得するための探索信号（又は不特定検索信号）を生成して高周波回路２０１を介して通信範囲内に存在する無線タグ回路素子Ｔo（この例では倉庫１内の全荷物ＬのタグラベルＴL及び作業者ＭのタグラベルＴMに備えられる無線タグ回路素子Ｔo）に送信され、返信を促す。
【００６３】
その後、ステップＳ５２０に移り、上記問合せ信号に対応し無線タグ回路素子Ｔoから送信（返信）された応答信号がアンテナ２１０を介し受信され、高周波回路２０１を介し制御回路２０２へ取り込まれたかどうかを判定する。応答信号が受信されていなければ判定が満たされず、ステップＳ５１０に戻って同様の手順を繰り返す。このとき、適時、必要に応じてIDの最初の指定ビットの値や指定ビット数を順に変化させて探索信号を生成してもよい。応答信号が受信されたら判定が満たされてステップＳ５３０へ移る。
【００６４】
ステップＳ５３０では、上記各無線タグ回路素子Ｔoから読み出した情報に対応する表示信号を表示部２０４へ出力して表示を行わせ（例えば倉庫１内に格納されている荷物一覧や作業者名等）、次のステップＳ５４０で終了かどうかを判定（操作部から終了が指示された)し、終了ならこのフローを終了する。
【００６５】
なお、ここでは特に図示しないが、倉庫１内の在庫管理や荷物Ｌの搬入・搬出が正常に行われているかどうかのチェック等、上記各無線タグ回路素子Ｔoから読み出した情報を用いてその他の処理を行ってもよい。
【００６６】
図８は、上記無線タグ回路素子ＴoのＩＣ回路部１５０に備えられる制御部１５７が実行する制御手順を表すフローチャートである。
【００６７】
図８において、まずステップＳ６１０において、リーダ２００のアンテナ２１０から送信された信号（搬送波）がアンテナ１５１により受信され、このアンテナ１５１により受信された搬送波が整流部１５２により整流され、この整流された搬送波のエネルギが電源部１５３により蓄積されて、所定の電圧に達すると上記ＩＣ回路部１５０が起動し、初期状態にリセットされる。そして、次のステップＳ６２０に移る。
【００６８】
ステップＳ６２０では、上記ステップＳ６１０においてアンテナ１５１により受信された信号が、コマンド（例えば検索信号「Scroll ID」、消去信号「Erase」、確認信号「Verify」、または書き込み信号「Program」等）であるかどうかを判定する。例えば受信した信号が他の無線機器からの信号であるような場合には、コマンドでないために判定が満たされず、ステップＳ６２０を繰り返してコマンド待ち状態となる。コマンドが受信された場合には、判定が満たされて次のステップＳ６３０に移る。
【００６９】
ステップＳ６３０では、上記ステップＳ６２０にて受信が確認されたコマンドが問合せ信号（不特定検索信号又は当該無線タグ回路素子ＴoのタグＩＤに合致した探索信号）であるかどうかを判定する。例えば、受信したコマンドが無線タグ回路素子Ｔoの応答率を変更するための設定値書き換え用の書き換え信号（書き込み信号「Program」）である場合等には、問合せ信号でないために判定が満たされず、ステップＳ６４０に移る。そしてステップＳ６４０において、当該受信したコマンドに応じた処理、例えば上記書き換え信号を受信した場合には当該書き換え信号に基づいてメモリ部１５５に書き込まれた設定値を更新し、先のステップＳ６２０に戻ってコマンド待ち状態となる。一方、問合せ信号である場合には、判定が満たされてステップＳ６５０に移る。
【００７０】
ステップＳ６５０では、上記乱数発生器１５８を用いて乱数を発生させる。なお、ここでは乱数は０〜１００の整数で発生するものとする（但しこれに限られず例えば０〜１の間で０．０１刻みに発生させてもよい）。
【００７１】
次のステップＳ６６０では、上記メモリ部１５５に記憶された設定値を読み出し、上記ステップＳ６５０で発生させた乱数がその設定値以上であるかどうかを判定する。乱数が設定値より小さい場合には、判定が満たされずに先のステップＳ６２０に戻ってコマンド待ち状態となる。一方、乱数が設定値以上である場合には、判定が満たされて次のステップＳ６７０に移る。
【００７２】
ステップＳ６７０では、ＩＣ回路部１５０の記憶情報、すなわち、タグＩＤ、記憶内容に関連する情報を変復調部１５６によりアンテナ１５１を介してリーダ２００のアンテナ２１０に応答信号として送信し、先のステップＳ６２０に戻ってコマンド待ち状態となる。
【００７３】
なお、通常、上記ステップＳ６２０においてコマンド待ち状態である際に、リーダ２００からの信号（搬送波）が受信されなくなって電源供給が断たれる。したがって、無線タグ回路素子Ｔoはコマンド待ち状態で自然に停止するようになっている。
【００７４】
以上の手順によって乱数と設定値とを比較し、乱数が設定値以上である場合に無線タグ回路素子Ｔoからリーダ２００のアンテナ２１０に応答信号を送信するように制御することにより、設定値に応じて無線タグ回路素子Ｔoの応答率を設定できるようになっている。すなわち、設定値を０とすれば無線タグ回路素子Ｔoの応答率は１００％となり、設定値を９０とすれば無線タグ回路素子Ｔoの応答率は１０％に設定される。なお、ラベル作成時に設定値が書き込まれていない場合には、設定値＝０（すなわち応答率１００％）として取り扱うようになっている。
【００７５】
本実施形態では、荷物Ｌに貼付られるタグラベルＴLに備えられた無線タグ回路素子Ｔoについては比較的小さい設定値が書き込まれることで、応答率が比較的高く設定されており、作業者Ｍが身に着けるタグラベルＴMに備えられた無線タグ回路素子Ｔoについては比較的大きい設定値が書き込まれることで、応答率が比較的低く設定されている。
【００７６】
また、必要に応じて、上述したようにリーダ２００のアンテナ２１０から書き換え信号を送信し、無線タグ回路素子ＴoのＩＣ回路部１５０のメモリ部１５５に記憶された設定値を適宜書き換えることにより、応答率を適宜変更できるようになっている。
【００７７】
上記のように構成され使用される無線タグラベルＴL，ＴMであるが、これら無線タグラベルＴL，ＴMを製造するラベル作成装置３００（タグラベル作成装置）としては、例えば図９に示す装置が用いられる。
【００７８】
図９において、このタグラベル作成装置３００（無線タグ情報書き込み装置）は、所定間隔で無線タグ回路素子Ｔoが備えられたタグテープ３０３（タグ媒体）を巻回したタグテープロール３０４（無線タグ回路素子収納体）を着脱可能な（又はタグテープロール３０４を備えたカートリッジを着脱可能な）タグテープロールホルダ部３１０（収納体設置部）と、このタグテープロール３０４から繰り出されたタグテープ３０３のうち上記無線タグ回路素子Ｔoに対応した上記領域Ｓに所定の印字を行う印字ヘッド３０５（印字手段）と、無線タグ回路素子Ｔoとの間で無線通信により情報の送受信を行うアンテナ３０６（装置側アンテナ）と、高周波回路３０１及び制御回路３０２（設定手段）と、タグテープ３０３への印字及び無線タグ回路素子Ｔoへの上記情報書き込みが終了したタグテープ３０３を所定の長さに切断して無線タグラベルＴ（＝上記ＴL，ＴM等）とするカッタ３０７と、印字ヘッド３０５に対向して設けられ、制御回路３０２により制御されてタグテープロール３０４を搬送する搬送装置３０９とを有する。
【００７９】
高周波回路３０１及び制御回路３０２は、詳細な説明を省略するが、上記リーダ２００の高周波回路２０１及び制御回路２０２とほぼ同等の機能を備えるものであり、無線タグ回路素子ＴoのＩＣ回路部１５０へのアクセス情報を生成し、装置側アンテナ３０６を介して無線タグ回路素子Ｔoへ送信し、無線タグ回路素子ＴoのＩＣ回路部１５０へ情報書き込みを行う。また制御回路３０２は有線又は無線の通信回線（ネットワーク）を介して他のコンピュータ、サーバ、端末等と接続されており、それらと情報の送受が可能となっている。
【００８０】
なお、上記タグラベル作成装置３００で無線タグラベルＴ（＝上記ＴL，ＴM等）を作成する際には、高周波回路３０１及び制御回路３０２により上記応答率を設定するための設定値に対応するアクセス情報を生成し、装置側アンテナ３０６を介して無線タグ回路素子Ｔoへ送信することにより、無線タグ回路素子ＴoのＩＣ回路部１５０のメモリ部１５５へ上記設定値の書き込みを行う。
【００８１】
図１０は、無線タグラベルＴの作成時に上記制御回路３０２によって実行される制御手順を表すフローチャートである。
【００８２】
図１０において、まずステップＳ７１０において、（上記通信回線を介し制御回路３０２に接続された）操作端末等により別途入力された、印字ヘッド３０５で上記無線タグラベルＴの前述の領域Ｓに印字したい印字情報及び無線タグ回路素子Ｔoへの書き込み情報（上記応答率を設定するための設定値情報を含む）が上記通信回線を介し取得される。なお、上記操作端末等に代えて、タグラベル作成装置３００の図示しない操作部から入力するようにしてもよい。
【００８３】
その後、ステップＳ７２０に移り、無線タグ回路素子Ｔoに対して情報の書込み（例えばタグＩＤと記憶させたい物品情報、及び上記設定値等の書込み）及び印字を行った後、上記ステップＳ７３０でテープ切断を行って１つの無線タグ回路素子Ｔoを備えた無線タグラベルＴ（＝上記ＴL，ＴM等）を作成し、このフローを終了する。
【００８４】
以上において、乱数発生器１５８は請求項２記載の乱数を発生させるタグ側乱数発生手段を構成し、制御部１５７は請求項２記載の質問器からの問合せ信号に対し応答信号を出力するかどうかを決定する応答決定手段を構成し、メモリ部１５５は請求項７記載の所定のしきい値を記憶する不揮発性の記憶手段を構成し、これら乱数発生器１５８、制御部１５７、及びメモリ部１５５が、請求項１記載の問合せ信号に対し応答信号を出力する応答率を設定する設定手段を構成する。また、制御部１５７（詳細には図１３に示すフロー中ステップＳ６８０の手順）は、請求項８記載の設定手段で設定した応答率を変更する変更手段をも構成する。
【００８５】
また、高周波回路２０１と制御回路２０２とが、請求項１０記載の無線タグ回路素子のＩＣ回路部からの情報読み取りを行う情報アクセス手段を構成する。
【００８６】
以上のように構成した本実施形態においては、リーダ２００から所定の時間ごとに通信範囲内に存在する無線タグ回路素子Ｔo（この例では倉庫１内の全荷物ＬのタグラベルＴL及び作業者ＭのタグラベルＴMに備えられる無線タグ回路素子Ｔo）に対して問合せ信号が送信され、返信を促す。このとき、各無線タグ回路素子Ｔoは、上記問合せ信号に対し応答信号を出力する応答率が設定されており、この設定された応答率にしたがってリーダ２００からの問合せ信号に対し応答信号を出力する。
【００８７】
このとき、本実施形態では、前述したように荷物Ｌに貼付られるタグラベルＴLに備えられる無線タグ回路素子Ｔoについては応答率が比較的高く設定されており、作業者Ｍが身に着けるタグラベルＴMに備えられる無線タグ回路素子Ｔoについては応答率が比較的低く設定されている。これにより、出入口１Ａを介して頻繁に搬入・搬出が行われるために、比較的高い頻度で情報の読み取りが必要である荷物Ｌに設けたタグラベルＴLの無線タグ回路素子Ｔoについては高い頻度で応答信号を出力させ、長時間（例えば１日中）倉庫１内に滞在し作業を行うため比較的低い頻度で情報の読み取りを行えば足りる作業者Ｍが身に着けたタグラベルＴMの無線タグ回路素子Ｔoについては低い頻度で応答信号を出力させることができる。その結果、荷物Ｌに対しては高頻度できめ細かに情報を読み取ることができ、作業者Ｍに対しては低頻度で必要最小限に情報を読み取ることができる。このように、読み取り対象に応じて無線タグ回路素子Ｔoの応答率を設定することにより、その読み取り対象に相応な読み取り頻度で情報の読み取りを行うことができる。したがって、低頻度で情報の読み取りを行えば足りる読み取り対象に対し高頻度に情報の読み取りを行うといった無駄な読み取りを抑制することができるので、一律の応答率（１００％又は０％）の無線タグ回路素子を用いて全読み取り対象に対し一律の頻度で情報の読み取りを行う場合に比べ、迅速に効率よく情報の読み取りを行うことができる。
【００８８】
また本実施形態では特に、リーダ２００のアンテナ２１０から書き換え信号を送信し、無線タグ回路素子ＴoのＩＣ回路部１５０のメモリ部１５５に記憶された設定値を書き換えることにより、応答率を適宜の値に変更することができる。これにより、例えば倉庫１内において搬入・搬出頻度が低下した荷物（例えば奥に保管されるＬ７〜Ｌ１１等）については無線タグ回路素子Ｔoの応答率を小さくなるように変更し、搬入・搬出頻度が高い荷物（例えば出入口側に保管されるＬ１〜Ｌ６等）については無線タグ回路素子Ｔoの応答率を大きくなるように変更するといったことが可能である。このようにして、無線タグ回路素子Ｔoの応答率を読み取り対象の状況に応じてきめ細かに設定することができるので、さらに迅速に効率よく情報の読み取りを行うことができる。
【００８９】
また本実施形態では特に、無線タグ回路素子ＴoのＩＣ回路部１５０が有する不揮発性のメモリ部１５５に応答率を設定するための設定値を記憶させる。これにより、リーダ２００からの問合せ信号の受信が終了し無線タグ回路素子ＴoのＩＣ回路部１５０への電源供給が断たれても、設定値を保持することができる。その結果、タグラベル作成時にメモリ部１５５に書き込まれた設定値をリセットすることなく保持でき、設定された応答率で応答させることができる。
【００９０】
なお、本発明は、上記実施形態に限られず、その趣旨と技術思想の範囲を逸脱しない範囲で更に種々の変形が可能である。以下その変形例を説明する。
【００９１】
（１）乱数発生器をリーダ側に設けた場合
上記実施形態においては、無線タグ回路素子ＴoのＩＣ回路部１５０が乱数発生器１５８を有するようにしたが、これに限られず、リーダ２００側に乱数発生器を設け、この乱数発生器で発生させた乱数をリーダ２００から問合せ信号とともに無線タグ回路素子ＴoのＩＣ回路部１５０に送信するようにしてもよい。
【００９２】
図１１は本変形例における制御回路２０２′の詳細機能を表す機能ブロック図であり、前述の図６に対応する図である。この図１１において、図６と同様の部分には同符号を付し説明を省略する。
【００９３】
この図１１に示すように、制御回路２０２′は、前述のＣＰＵ２０２Ａ、ＲＯＭ２０２Ｂ、ＲＡＭ２０２Ｃ、回路制御部２０２Ｄの他に、乱数発生器２０２Ｅ（装置側乱数発生手段）を有している。この制御回路２０２′は、高周波回路２０１及びアンテナ２１０を介し、無線タグラベルＴL，ＴMに備えられ乱数発生器を有しない複数の無線タグ回路素子Ｔo−１に対し、情報を読み取るための問合せ信号とともに乱数発生器２０２Ｅで発生させた乱数を送信する。
【００９４】
図１２は本変形例における、無線タグ回路素子Ｔo−１のＩＣ回路部１５０−１（図示せず）に備えられる制御部１５７−１（設定手段、応答決定手段。図示せず）が実行する制御手順を表すフローチャートであり、前述の図８に対応する図である。この図１２において、図８と同様の部分は説明を省略する。
【００９５】
図１２のフローと前述の図８のフローとの相違点は、ステップＳ６５０をステップＳ６５５に代えた点である。すなわち、本フローでは、リーダ２００からの問合せ信号が受信されるとステップＳ６３０の判定が満たされて次のステップＳ６５５に移り、問合せ信号の後に受信されるリーダ側の制御回路２０２′の乱数発生器２０２Ｅで発生された乱数を取得する。そして、制御部１５７−１の図示しない一時記憶領域に保存する。その後、次のステップＳ６６０で、メモリ部１５５に記憶された設定値を読み出し、上記ステップＳ６５５で取得し一時記憶領域に保存した乱数がその設定値以上であるかどうかを判定する。
【００９６】
上記構成の本変形例によっても、上記実施形態と同様の効果を得ることができる。
【００９７】
（２）タグ自身で設定値を更新する場合
上記実施形態においては、リーダ側より書き換え信号を送信して設定値を書き換えることで応答率を変更するようにしたが、これに限られず、応答する度にタグ自身で設定値を更新し、これにより応答率を変更するようにしてもよい。
【００９８】
図１３は本変形例における、無線タグ回路素子Ｔo−２（図示せず）のＩＣ回路部１５０−２（図示せず）に備えられる制御部１５７−２（図示せず）が実行する制御手順を表すフローチャートであり、前述の図８に対応する図である。この図１３において、図８と同様の部分は説明を省略する。
【００９９】
図１３のフローと前述の図８のフローとの相違点は、ステップＳ６８０を新たに追加した点である。すなわち、本フローでは、ステップＳ６７０でＩＣ回路部１５０−２の記憶情報をアンテナ１５１を介してリーダ２００のアンテナ２１０に応答信号として送信した後、ステップＳ６８０に移り、設定値を更新する。ここでの設定値の更新の仕方は、例えば設定値が０である場合には１００に更新し、設定値が１００である場合には９０、９０である場合は８０、・・・、１０である場合は０、０である場合には再び１００といったように、０→１００→９０→８０→７０→６０→５０→４０→３０→２０→１０→０の順に更新する。これにより、応答率は１００％→０％→１０％→２０％→３０％→４０％→５０％→６０％→７０％→８０％→９０％→１００％の順に更新されることになる。なお、この設定値の更新の仕方は上記に限られず、例えば設定値を順次増加させて応答率を順次減少させるようにしてもよいし、その他適宜の規則に基づき変化させるようにしてもよい。
【０１００】
このように、応答するごとにタグ自身で設定値を更新して無線タグ回路素子Ｔo−２の応答率を更新させるようにすることで、例えば、最初は貸し出し頻度が多いが時間の経過とともに徐々に貸し出し頻度が減少する図書館に入荷した新刊等のような、使用頻度が時間の経過とともに変化する読み取り対象である場合に、その読み取り対象の状況に応じてきめ細かに無線タグ回路素子Ｔo−２の応答率を設定することができる。
【０１０１】
なお、以上は上記実施形態と同様に無線タグ回路素子が乱数発生器を有する構成を用いて説明したが、これに限られず、上記変形例（１）のようにリーダ側に乱数発生器を設けた構成に本変形例を適用してもよい。
【０１０２】
（３）応答要求回数に応じて応答する場合
上記実施形態においては、乱数と設定値とを比較し乱数が設定値以上である場合に応答するようにしたが、これに限られない。すなわち、例えばリーダ２００からの応答要求回数をカウントしておき、この応答要求回数が一定回数に達した場合に応答するようにしてもよい。
【０１０３】
図１４は、本変形例における無線タグ回路素子Ｔo−３の機能的構成の一例を表すブロック図であり、前述の図３に対応する図である。この図１４において、前述の図３と同様の部分には同符号を付し説明を省略する。
【０１０４】
この図１４に示すように、無線タグ回路素子Ｔo−３のＩＣ回路部１５０−３は、アンテナ１５１により受信された上記リーダ２００のアンテナ２１０からの問合せ信号の受信回数（以下、応答要求回数）をカウントするカウンタ１５９（カウント手段）を有する。このカウンタ１５９でカウントされたカウンタ値は、更新される度に制御部１５７−３（応答決定手段）によりメモリ部１５５に書き込まれる。これにより、リーダ２００からの信号（搬送波）が受信されなくなって電源供給が断たれても、カウンタ１５９でカウントされたカウンタ値が保持できるようになっている。
【０１０５】
図１５は、本変形例における上記無線タグ回路素子Ｔo−３のＩＣ回路部１５０−３に備えられる制御部１５７−３が実行する制御手順を表すフローチャートである。
【０１０６】
この図１５において、まずステップＳ８１０で、リーダ２００のアンテナ２１０から送信された信号（搬送波）により電源部１５３が充電され、所定の電圧に達すると上記ＩＣ回路部１５０−３が起動し、初期状態にリセットされる。そして、次のステップＳ８２０に移る。
【０１０７】
ステップＳ８２０では、上記ステップＳ８１０においてアンテナ１５１により受信された信号がコマンド信号であるかどうかを判定する。コマンド信号でない場合には判定が満たされず、ステップＳ８２０を繰り返してコマンド待ち状態となる。コマンド信号が受信された場合には、判定が満たされて次のステップＳ８３０に移る。
【０１０８】
ステップＳ８３０では、上記ステップＳ８２０にて受信が確認されたコマンド信号が問合せ信号であるかどうかを判定する。問合せ信号でない場合には、判定が満たされずにステップＳ８４０に移り、当該受信したコマンドに応じた処理を行い、先のステップＳ８２０に戻ってコマンド待ち状態となる。一方、問合せ信号である場合には、判定が満たされてステップＳ８５０に移る。
【０１０９】
ステップＳ８５０では、メモリ部１５５からカウンタ値Ｃを読み出す。
【０１１０】
次のステップＳ８５５では、上記ステップＳ８５０で読み出したカウンタ値Ｃが０であるかどうかを判定する。カウンタ値Ｃが０である場合には、判定がみたされて次のステップＳ８６０に移り、ＩＣ回路部１５０−３の記憶情報を変復調部１５６によりアンテナ１５１を介してリーダ２００のアンテナ２１０に応答信号として送信する。その後、次のステップＳ８６５に移る。一方、カウンタ値Ｃが０でない場合には、判定が満たされずに次のステップＳ８６５に直接移る。
【０１１１】
ステップＳ８６５では、カウンタ値Ｃに１を加えて次のステップＳ８７０に移る。
【０１１２】
ステップＳ８７０では、メモリ部１５５に予め記憶された設定値を読み出し、上記ステップＳ８６５で１を加えたカウンタ値Ｃがその設定値と等しいかどうかを判定する。カウンタ値Ｃと設定値が等しい場合には、判定が満たされて次のステップＳ８７５に移り、カウンタ値Ｃを０にリセットして次のステップＳ８８０に移る。一方、カウンタ値Ｃと設定値が等しくない場合には、判定が満たされずに次のステップＳ８８０に直接移る。なお、上記設定値は、タグラベル作成時にラベル作成装置によって無線タグ回路素子Ｔo−３のＩＣ回路部１５０−３のメモリ部１５５に書き込まれた応答率を設定するための設定値である。
【０１１３】
ステップＳ８８０では、カウンタ値Ｃをメモリ部１５５に書き込み、その後先のステップＳ８２０に戻ってコマンド待ち状態となる。
【０１１４】
以上の手順によってリーダ２００からの応答要求が受信される度にカウント値Ｃを１ずつカウントアップさせ、カウント値が設定値に達し０にリセットされた場合に無線タグ回路素子Ｔoからリーダ２００のアンテナ２１０に応答信号を送信するように制御することにより、上記設定値に応じて無線タグ回路素子Ｔoの応答率を設定できるようになっている。すなわち、設定値を１とすれば無線タグ回路素子Ｔoの応答率は１００％となり、設定値を１０とすれば無線タグ回路素子Ｔoは１０回に１回の割合で応答する（すなわち応答率１０％）。
【０１１５】
上記構成の本変形例によっても、上記実施形態と同様の効果を得ることができる。
【０１１６】
（４）応答要求の間隔時間に応じて応答する場合
上記実施形態においては、乱数と設定値とを比較し乱数が設定値以上である場合に応答するようにしたが、これに限られない。すなわち、例えばリーダ２００から応答要求を受信した時間を記憶しておき、次にリーダ２００から応答要求が来たときまでの経過時間が一定時間に達した場合に応答するようにしてもよい。
【０１１７】
本変形例では、特に図示はしないが、リーダ２００の制御回路２０２″が時計手段（又はタイマー手段でもよい）を有している。この制御回路２０２″は、高周波回路２０１及びアンテナ２１０を介し、無線タグラベルＴL，ＴMに備えられる複数の無線タグ回路素子Ｔo−４に対し、情報を読み取るための問合せ信号とともに上記時計手段で発生させたタイプスタンプ（時間情報）を送信できるようになっている。
【０１１８】
図１６は、本変形例における上記無線タグ回路素子Ｔo−４（図示せず）のＩＣ回路部１５０−４（図示せず）に備えられる制御部１５７−４（設定手段、応答決定手段。図示せず）が実行する制御手順を表すフローチャートである。
【０１１９】
この図１６において、まずステップＳ９１０で、リーダ２００のアンテナ２１０から送信された信号（搬送波）により電源部１５３が充電され、所定の電圧に達すると上記ＩＣ回路部１５０−４が起動し、初期状態にリセットされる。そして、次のステップＳ９２０に移る。
【０１２０】
ステップＳ９２０では、上記ステップＳ９１０においてアンテナ１５１により受信された信号がコマンド信号であるかどうかを判定する。コマンド信号でない場合には判定が満たされず、ステップＳ９２０を繰り返してコマンド待ち状態となる。コマンド信号が受信された場合には、判定が満たされて次のステップＳ９３０に移る。
【０１２１】
ステップＳ９３０では、上記ステップＳ９２０にて受信が確認されたコマンド信号が問合せ信号であるかどうかを判定する。問合せ信号でない場合には、判定が満たされずにステップＳ９４０に移り、当該受信したコマンドに応じた処理を行い、先のステップＳ９２０に戻ってコマンド待ち状態となる。一方、問合せ信号である場合には、判定が満たされてステップＳ９５０に移る。
【０１２２】
ステップＳ９５０では、上記問合せ信号の後に受信されるタイムスタンプＴを取得する。
【０１２３】
次のステップＳ９６０では、メモリ部１５５（記憶手段）からタイムスタンプＴ０を読み出す。なお、このタイムスタンプＴ０は、前回無線タグ回路素子Ｔo−４が応答信号を送信したときにメモリ部１５５に書き込んだ時間情報であり（後述のステップＳ９９５参照）、無線タグ回路素子Ｔoが応答する度に更新されるものである。
【０１２４】
次のステップＳ９７０では、メモリ部１５５に予め記憶された設定値を読み出し、上記ステップＳ９５０で取得したタイムスタンプＴと上記ステップＳ９６０で読み出したタイムスタンプＴ０との差（時刻差）が上記読み出した設定値以上であるかどうかを判定する。なお、上記設定値は、タグラベル作成時にラベル作成装置によって無線タグ回路素子Ｔo−４のＩＣ回路部１５０−４のメモリ部１５５に書き込まれた応答率を設定するための設定値である。時刻差Ｔ−Ｔ０が設定値以上ではない場合には、判定が満たされずに先のステップＳ９２０に戻り、コマンド待ち状態となる。一方、時刻差Ｔ−Ｔ０が設定値以上である場合には、判定が満たされて次のステップＳ９８０に移る。
【０１２５】
ステップＳ９８０では、ＩＣ回路部１５０−４の記憶情報を変復調部１５６によりアンテナ１５１を介してリーダ２００のアンテナ２１０に応答信号として送信する。
【０１２６】
ステップＳ９９０では、タイムスタンプＴ０を上記ステップＳ９５０で取得したタイムスタンプＴに更新し、次のステップＳ９９５でメモリ部１５５に保存する。その後、ステップＳ９２０に戻り、コマンド待ち状態となる。
【０１２７】
以上の手順によって、リーダ２００からの応答要求とともにタイムスタンプＴを受信すると、メモリ部１５５に書き込まれた前回応答したときのタイムスタンプＴ０を読出し、これらタイムスタンプＴとタイムスタンプＴ０との時刻差が設定値以上である場合に、無線タグ回路素子Ｔoからリーダ２００のアンテナ２１０に応答信号を送信するように制御することにより、上記設定値に応じて無線タグ回路素子Ｔoの応答率を設定できるようになっている。すなわち、設定値を長い時間とすれば無線タグ回路素子Ｔoの応答率は低くなり、設定値を小さい時間とすれば無線タグ回路素子Ｔoの応答率は高く設定される。
【０１２８】
上記構成の本変形例によっても、上記実施形態と同様の効果を得ることができる。
【０１２９】
なお、以上では無線タグ回路素子Ｔoがリーダ２００側からタイムスタンプを受信することにより時刻情報を得るようにしたが、タグ側に時計手段（又はタイマーでもよい）を設け、タグ自身で時刻情報（又は経過時間情報）を得るようにしてもよい。
【０１３０】
（５）充電電圧に応じて応答する場合
上記実施形態では、乱数と設定値とを比較し乱数が設定値以上である場合に応答するようにしたが、これに限られない。すなわち、無線タグ回路素子Ｔoが例えば応答要求がある度に少量ずつ充電される応答充電部を有しており、この応答充電部の電圧が設定値以上でかつ既に応答している場合に応答を行わないようにしてもよい。
【０１３１】
図１７は本変形例における無線タグ回路素子Ｔo−５の機能的構成の一例を表すブロック図であり、前述の図３に対応する図である。この図１７において、前述の図３と同様の部分には同符号を付し説明を省略する。
【０１３２】
この図１７に示すように、無線タグ回路素子Ｔo−５のＩＣ回路部１５０−５は、アンテナ１５１により上記リーダ２００のアンテナ２１０からの問合せ信号が受信される度に、上記整流部１５２により整流された搬送波のエネルギを蓄積し充電する応答充電部１６０（充電手段）を有する。この応答充電部１６０の時定数は上記電源部１５３の時定数より大きく、電源部１５３に比べゆっくりと充電されるようになっている。
【０１３３】
図１８は、本変形例における上記無線タグ回路素子Ｔo−５のＩＣ回路部１５０−５に備えられる制御部１５７−５（応答決定手段）が実行する制御手順を表すフローチャートである。
【０１３４】
この図１８において、まずステップＳ１０１０で、リーダ２００のアンテナ２１０から送信された信号（搬送波）により電源部１５３が充電され、所定の電圧に達すると上記ＩＣ回路部１５０−５が起動し、初期状態にリセットされる。また後述するフラグＦもＦ＝０にリセットされる。そして、次のステップＳ１０２０に移る。
【０１３５】
ステップＳ１０２０では、上記ステップＳ１０１０においてアンテナ１５１により受信された信号がコマンド信号であるかどうかを判定する。コマンド信号でない場合には判定が満たされず、ステップＳ１０２０を繰り返してコマンド待ち状態となる。コマンド信号が受信された場合には、判定が満たされて次のステップＳ１０３０に移る。
【０１３６】
ステップＳ１０３０では、上記ステップＳ１０２０にて受信が確認されたコマンド信号が問合せ信号であるかどうかを判定する。問合せ信号でない場合には、判定が満たされずにステップＳ１０４０に移り、当該受信したコマンドに応じた処理を行い、先のステップＳ１０２０に戻ってコマンド待ち状態となる。一方、問合せ信号である場合には、判定が満たされてステップＳ１０５０に移る。
【０１３７】
ステップＳ１０５０では、整流部１５２により整流された搬送波のエネルギを蓄積させ、応答充電部１６０を充電させる。
【０１３８】
次のステップＳ１０６０では、メモリ部１５５に予め記憶された設定値を読み出し、上記ステップＳ１０５０で充電した応答充電部１６０の電圧が上記読み出した設定値より小さいかどうかを判定する。なお、上記設定値は、タグラベル作成時にラベル作成装置によって無線タグ回路素子Ｔo−５のＩＣ回路部１５０−５のメモリ部１５５に書き込まれた応答率を設定するための設定値である。電圧が設定値以上である場合には、判定が満たされずに次のステップＳ１０６５に移る。
【０１３９】
ステップＳ１０６５では、無線タグ回路素子Ｔoがリーダ２００に対し応答信号を送信したかどうかを示すフラグＦが応答したことを示す１であるかどうかを判定する。すでに応答しておりフラグＦが１である場合には、判定が満たされて先のステップＳ１０２０に戻り、コマンド待ち状態となる。一方、フラグＦがまだ応答していないことを示す０である場合には、判定が満たされずに次のステップＳ１０７０に移る。
【０１４０】
なお、上記ステップＳ１０６０において、応答充電部１６０の電圧が設定値より小さい場合には、判定が満たされて次のステップＳ１０７０に直接移る。
【０１４１】
ステップＳ１０７０では、ＩＣ回路部１５０−５の記憶情報を変復調部１５６によりアンテナ１５１を介してリーダ２００のアンテナ２１０に応答信号として送信する。
【０１４２】
次のステップＳ１０８０ではフラグＦを応答したことを示す１に更新し、次のステップＳ１０９０でメモリ部１５５に保存する。なお、ここではリーダ２００から応答確認信号が受信された場合にフラグＦを１に更新するようになっている。その後、ステップＳ１０２０に戻り、コマンド待ち状態となる。
【０１４３】
以上の手順によって、応答充電部１６０の電圧が設定値となるまでは応答し、電圧が設定値に達したら応答を停止する（ただし、電圧が設定値以上となってもリーダ２００から応答確認信号が受信されていない場合にはフラグＦ＝０のため応答する）ように制御することにより、上記設定値に応じて無線タグ回路素子Ｔoの応答率を設定できるようになっている。すなわち、設定値を大きい値とすれば無線タグ回路素子Ｔoの応答率は高くなり、設定値を小さい値とすれば無線タグ回路素子Ｔoの応答率は低くなる。
【０１４４】
上記構成の本変形例によっても、上記実施形態と同様の効果を得ることができる。また本変形例によれば、適宜の設定値を記憶させておくことで所定の無線タグ回路素子Ｔoについては適宜のときから応答させないようにすることができるので、リーダ２００からスリープコマンドを送信する必要がなくなるという効果もある。
【０１４５】
なお、以上においては、本発明を倉庫内の荷物と作業者の情報を読み取るシステムに適用した例を説明したが、これに限られず、例えば人物とその人物の所有物の情報を読み取るシステムや、使用頻度や持ち出し頻度等が異なる物同士の情報を読み取るシステム等、必要な情報読み取り頻度が異なる読み取り対象から情報を読み取るシステムに対し適用することが可能である。
【０１４６】
また、以上で用いた「Scroll
ID」信号、「Ping」信号、「Erase」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１４７】
また、以上既に述べた以外にも、上記実施形態や各変形例による手法を適宜組み合わせて利用しても良い。
【０１４８】
その他、一々例示はしないが、本発明は、その趣旨を逸脱しない範囲内において、種々の変更が加えられて実施されるものである。
【図面の簡単な説明】
【０１４９】
【図１】本発明の一実施形態である無線タグ情報読み取りシステム全体を表す概念的なシステム構成図である。
【図２】本発明の一実施形態である無線タグ回路素子を備えた無線タグラベルの全体概略構造の一例を表す上面図及び下面図である。
【図３】無線タグラベルに備えられた無線タグ回路素子の機能的構成の一例を表すブロック図である。
【図４】本発明の一実施形態によるリーダの詳細機能を表す機能ブロック図である。
【図５】高周波回路の詳細機能構成を表す機能ブロック図である。
【図６】制御回路の詳細機能を表す機能ブロック図である。
【図７】制御回路の実行する制御手順を表すフローチャートである。
【図８】無線タグ回路素子のＩＣ回路部に備えられた制御部が実行する制御手順を表すフローチャートである。
【図９】本発明の一実施形態によるタグラベル作成装置の構成を表す概念図である。
【図１０】無線タグラベルの作成時に制御回路によって実行される制御手順を表すフローチャートである。
【図１１】乱数発生器をリーダ側に設ける場合の変形例における、制御回路の詳細機能を表す機能ブロック図である。
【図１２】乱数発生器をリーダ側に設ける場合の変形例における、無線タグ回路素子のＩＣ回路部に備えられた制御部が実行する制御手順を表すフローチャートである。
【図１３】タグ自身で設定値を更新する場合の変形例における、無線タグ回路素子のＩＣ回路部に備えられた制御部が実行する制御手順を表すフローチャートである。
【図１４】応答要求回数に応じて応答する場合の変形例における、無線タグ回路素子の機能的構成の一例を表すブロック図である。
【図１５】応答要求回数に応じて応答する場合の変形例における、無線タグ回路素子のＩＣ回路部に備えられた制御部が実行する制御手順を表すフローチャートである。
【図１６】応答要求の間隔時間に応じて応答する場合の変形例における、無線タグ回路素子のＩＣ回路部に備えられた制御部が実行する制御手順を表すフローチャートである。
【図１７】充電電圧に応じて応答する場合の変形例における、無線タグ回路素子の機能的構成の一例を表すブロック図である。
【図１８】充電電圧に応じて応答する場合の変形例における、無線タグ回路素子のＩＣ回路部に備えられた制御部が実行する制御手順を表すフローチャートである。
【符号の説明】
【０１５０】
１５０          ＩＣ回路部
１５１          アンテナ（タグ側アンテナ）
１５５          メモリ部（設定手段、記憶手段）
１５７          制御部（設定手段、応答決定手段）
１５７−３      制御部（設定手段、応答決定手段）
１５７−５      制御部（設定手段、応答決定手段）
１５８          乱数発生器（設定手段、タグ側乱数発生手段）
１５９          カウンタ（カウント手段）
１６０          応答充電部（充電手段）
２００          リーダ（質問器）
２０２Ｅ        乱数発生器（装置側乱数発生手段）
２０１          高周波回路（情報アクセス手段）
２０２          制御回路（情報アクセス手段）
２１０          アンテナ（装置側アンテナ）
３０２          制御回路（設定手段）
３０３          タグテープ（タグ媒体）
３０４          タグテープロール（無線タグ回路素子収納体）
３０５          印字ヘッド（印字手段）
３０６          アンテナ（装置側アンテナ）
３１０          タグテープロールホルダ部（収納体設置部）
Ｔo             無線タグ回路素子
【図１】
2007124433.tif 000003
【図２】
2007124433.tif 000004
【図３】
2007124433.tif 000005
【図４】
2007124433.tif 000006
【図５】
2007124433.tif 000007
【図６】
2007124433.tif 000008
【図７】
2007124433.tif 000009
【図８】
2007124433.tif 000010
【図９】
2007124433.tif 000011
【図１０】
2007124433.tif 000012
【図１１】
2007124433.tif 000013
【図１２】
2007124433.tif 000014
【図１３】
2007124433.tif 000015
【図１４】
2007124433.tif 000016
【図１５】
2007124433.tif 000017
【図１６】
2007124433.tif 000018
【図１７】
2007124433.tif 000019
【図１８】
2007124433.tif 000020